【事件の表示】
　特願２００１−２１４９０５号「表示装置および当該表示装置を搭載した携帯端末」拒絶査定不服審判事件〔平成１５年１月３１日出願公開、特開２００３−２９６８７号〕について、次のとおり審決する。
【結　論】
　本件審判の請求は、成り立たない。
【理　由】
第１　手続の経緯
　　　本件は、平成１３年７月１６日にされた特許出願（以下「本件出願」という。）につき、拒絶査定が平成１６年８月１３日付けでされたところ、請求人が「原査定を取り消す、本願は特許をすべきものである」との審決を求めて拒絶査定不服審判を同年９月１６日に請求するとともに同年１０月１８日に明細書について補正をする手続補正書（以下、この手続補正書による補正を「平成１６年１０月１８日付け補正」といい、また「本件補正」ともいう。）を提出したものである。
　
第２　補正の却下の決定
　１　補正の却下の決定の結論
　　　平成１６年１０月１８日付け補正を却下する。
　２　補正の却下の決定の理由
　（１）補正の内容
　　　　本件補正は、特許請求の範囲の請求項１及び２を削除するとともに、請求項３について以下のように補正をして新たな請求項１とすることを含むものである。
　　　ア　本件補正前の特許請求の範囲の請求項３
「【請求項３】　画素が行列状に多数配置されてなる画素部と、デジタルデータをアナログ信号に変換し、このアナログ信号によって前記画素部の各画素を駆動するＤＡ変換回路とを具備する表示装置であって、
　前記ＤＡ変換回路は、
　複数階調分の電圧値を時系列で持つ基準電圧を発生する基準電圧発生手段と、
　デジタルデータのビット情報に基づいて前記基準電圧における複数階調分の電圧値のいずれかを選択するために、前記複数階調の各々に対応した時間情報を持つ階調セレクト信号を発生するセレクト信号発生手段と、
　前記セレクト信号発生手段から出力される前記階調セレクト信号に基づいて前記基準電圧における複数階調分の電圧値のいずれかを時分割にて選択してその電圧値のアナログ信号を前記画素部のデータ線の各々に出力する階調選択手段とを有する
　ことを特徴とする表示装置。」
　　　イ　本件補正後の特許請求の範囲の請求項１
「【請求項１】　画素が行列状に多数配置されてなる画素部と、デジタルデータをアナログ信号に変換し、このアナログ信号を前記画素部のデータ線に出力するＤＡ変換回路とを具備する表示装置であって、
　前記ＤＡ変換回路は、
　複数階調分の電圧値を時系列で持つ基準電圧を発生する基準電圧発生手段と、
　デジタルデータのビット情報に基づいて前記基準電圧のいずれの電圧値を選択するかを決めるためのセレクト信号を発生するセレクト信号発生手段と、
　マトリクス状に構成され、前記デジタルデータおよび前記セレクト信号と前記基準電圧とが与えられ、前記デジタルデータおよび前記セレクト信号に基づいて前記基準電圧のいずれかの電圧値を時分割にて選択し、その電圧値のアナログ信号を前記データ線の各々に出力する選択手段とを有する
　ことを特徴とする表示装置。」
　（２）本件補正の適否について
　　　　本件補正は、請求項１及び２を削除するとともに、請求項３に係る発明を特定するために必要な事項である「選択手段」について「マトリクス状に構成され」、「デジタルデータ・・・が与えられ、前記デジタルデータ・・・に基づいて」との限定を付加することを含むものであって、特許法１７条の２第４項１号の請求項の削除、同項２号の特許請求の範囲の限定的減縮を目的とするものである。
　そこで、本件補正後の請求項１に係る発明（以下「本件補正発明」という。）が特許出願の際独立して特許を受けることができるものであるか検討する。
　　　ア　刊行物に記載された発明
　　　　　原査定の拒絶の理由に引用された刊行物の一部である特開平５−１５８４４６号公報（以下「刊行物１」という。）には、図面とともに、以下のような記載がされている。
　　　（ア）「【０００１】【産業上の利用分野】本発明は多階調液晶表示装置の改良に関する。特に、表示速度が速くまた表示品質が優れているために有望視されているＴＦＴ（Thin Film Transister) 型多階調液晶表示装置の改良に関する。さらに詳しくは、階調数の増大にともなうデータドライバーの大規模化を防止することができる駆動方式のＴＦＴ型多階調液晶表示装置を提供することを目的とする改良に関する。」
　　　（イ）「【０００８】本発明の目的は、上記の欠点を解消することにあり、階調数の増大にともなうデータドライバーの大規模化を防止することができる駆動方式のＴＦＴ型多階調液晶表示装置を提供することにある。」
　　　（ウ）「【００１５】以下、図１・図２を参照して詳細に説明する。　図１・図２参照　例えば図１に示した例では２進４ビットを各２ビットに分けて、上位２ビットに対しては従来と同じ方法によるディジタル−アナログ変換を行い下位２ビットに対しては共通のディジタル／アナログ変換器を有するステップアップ電圧発生手段ＤＡを用意して、４種の電圧を発生させ、これにランプ（階段状）波形の電圧を重畳する。この電圧値の例を示すと、２進４ビットで２〜５Ｖの電圧を発生させることを意味し、１ＬＳＢの電圧値は（５−２）／（２４−１）＝２００ｍＶとなる。したがって、上位２ビットに対する電圧はディジタル・コード００００、０１００、１０００、１１００に対するものとして各々２．０Ｖ、２．８Ｖ、３．６Ｖ、４．４Ｖとなる。これを図１で各々Ｖ１、Ｖ２、Ｖ３、Ｖ４として示す。一方、ランプ電圧は下位２ビットに対して、ディジタル／アナログ変換器を有するステップアップ電圧発生手段ＤＡにより、時間に対して０．０Ｖ→０．２Ｖ→０．４Ｖ→０．６Ｖと変化する電圧として発生させる。これは図１に示すステップアップ電圧ＶＬである。そして、アナログ電圧加算手段Ａによりステップアップ電圧ＶＬと上記の電圧Ｖ１〜Ｖ４のそれぞれとを加算して、Ｖ１１〜Ｖ１４を得る。Ｖ１１〜Ｖ１４におけるステップアップ電圧ＶＬの加算を開始するタイミングは制御手段ＣＯＮＴから与えられるクロックＣＫ３により決定される。なお、これらの電圧は映像信号に比例した値でなく、非線型な値であってもよく、いわゆるγ補正をこの非線型な電圧供給によって実現することもできる。【００１６】つぎに各画素に映像信号に対応する電圧値が書き込まれることを説明する。例えば、映像信号であるディジタル信号が０１１０であったとすると、上記のアナログ電圧２．０Ｖ、２．８Ｖ、３．６Ｖ、４．４Ｖのうち上記のディジタル信号の上位２ビット０１に対応する２．８Ｖがアナログ電圧選択手段（例えばアナログスイッチ）Ｅｎによって選択される。上記のアナログ電圧２．８Ｖにステップアップ電圧ＶＬが加算されて電圧値が３．０Ｖ→３．２Ｖとなって、次の３．４Ｖになる直前に、上記のディジタル信号の下位２ビット１０にもとづいて電圧印加手段Ｆｎが働いてデータ線Ｘｎに電圧を供給することを停止する。この電圧供給停止の直前の電圧３．２Ｖによって各画素内のデータ線の分布容量が充電される。つぎに、ゲートドライバーＧＤから走査線Ｙｍに１ライン毎にゲート信号が供給され、このゲート信号によって各画素内のＴＦＴがオンし、上記の分布容量に充電されていた電荷がＴＦＴを通して流出して液晶容量を充電する。その結果、映像信号に対応した電圧が該当する画素に正しく書き込まれる。なお、分布容量の総合値は対角１０．４インチの液晶表示装置の場合、１００ｐＦ程度であり、液晶容量値が１ｐＦ程度であるから、分布容量上の電荷がこの１ｐＦへ移動しても誤差は小さい。」
　　　（エ）「【００１７】【実施例】以下、図面を参照して、本発明の４実施例に係る多階調液晶表示装置について説明する。【００１８】図３は第１実施例（請求項１、３、及び、４に対応）の構成図である。以下の説明は図１の原理図の説明を補完する形で行い、また従来例と同等部分の説明は省略する。【００１９】図３参照　図３におけるデータメモリＭ１１・Ｍ１２及びＭ２１・Ｍ２２は上位ビット群と下位ビット群とに分けられ、それをＵ、Ｌと表示してある。上位ビット群は（Ｎ−Ｐ）ビット、下位ビット群はＰビットからなり、合計でＮビットのデータからなる。上位ビット群のデータはデコーダＤＣ１・ＤＣ２に入力されて、同時には１ビットのみがオンとなる信号に変換される。そして、アナログ電圧選択手段Ｅ１・Ｅ２の各々のなかのアナログスイッチの１個のみをオンとすることにより電圧発生手段ＶＧ内の電圧Ｖ１〜Ｖ４の中の一つの電圧が選ばれる。このとき、出力部のアナログスイッチＳ１・Ｓ２はオンしており、上記の選択された電圧はデータ線Ｘ１・Ｘ２へ送出される。このとき、電圧Ｖ１１〜Ｖ１４が電圧Ｖ１〜Ｖ４と同じ値となるのは、カウンタＣＴはリセット状態にありステップアップ電圧発生手段ＤＡの出力が零であるからである。また、アナログスイッチＳ１・Ｓ２がオンとなっているのは、その制御を行う１ビットのメモリＢ１・Ｂ２が信号Ｔ４によりセット状態にあるからである。次に、一定時間の後、クロックＣＫ３が制御手段ＣＯＮＴより与えられると、カウンタＣＴはカウントアップを初め、ステップアップ電圧発生手段ＤＡの出力は階段状に増加する。そして、ステップアップ電圧ＶＬが電圧Ｖ１〜Ｖ４に加算されて電圧Ｖ１１〜Ｖ１４として出力される。一方、カウンタＣＴの内容はデータメモリＭ２１・Ｍ２２の下位ビット群Ｌと大きさをコンパレータＣＰ１・ＣＰ２により比較される。そして、一致したところでメモリＢ１・Ｂ２をリセットするパルスを発生する。そして、その時点で、アナログスイッチＳ１・Ｓ２はオフとなる。アナログスイッチＳ１・Ｓ２がオフとなるまでは、電圧Ｖ１〜Ｖ４にステップアップ電圧ＶＬが加算された電圧がデータ線を充電しながらＴＦＴを通し液晶容量に書き込まれる。上記のカウンタＣＴは、信号Ｔ２（データメモリＭ１１・Ｍ１２からデータメモリＭ２１・Ｍ２２にディジタルデータを書き込む信号）によってリセットされる。上記のようにしてＭ２１・Ｍ２２に保持されたディジタルデータに対応したアナログ電圧が上位ビット群と下位ビット群に対応したアナログ電圧の加算により液晶容量に書き込まれる。」
　　　（オ）「【００２７】【発明の効果】以上説明したとおり、本発明に係る多階調液晶表示装置においては、映像信号であるディジタル信号を上位ビット群と下位ビット群とに分け、上位ビットにもとづいて粗く設定された複数のアナログ電圧を発生する複数の電圧発生手段と下位ビットに対応して細かく設定された電圧ステップのステップアップ電圧またはステップダウン電圧を発生する共通のステップアップ電圧発生手段またはステップダウン電圧発生手段とが設けられ、上記の電圧発生手段の出力電圧とステップアップ電圧発生手段またはステップダウン電圧発生手段の出力電圧とを加算してデータ線にアナログ電圧を供給することゝされ、上位ビットにもとづいて上記の複数の電圧発生手段の出力電圧のうちの１個が選択され、そして、上記のステップアップ電圧またはステップダウン電圧の値が下位ビットに対応した値に達した時点でデータ線へのアナログ電圧供給が停止されることゝされているので、上記のアナログ電圧を選択的にデータ線に供給する選択手段の数は上記の粗く設定されたアナログ電圧の種類の数と同一でよく、ディジタル信号の全ビットに対応する数の選択手段を必要とした従来技術に比し、上記の選択手段数は著しく少なく、その結果、データドライバーを小形にすることが可能である。【００２８】したがって、本発明は、階調数の増大にともなうデータドライバーの大規模化を防止することができる駆動方式のＴＦＴ型多階調液晶表示装置を提供することができる。」
　　　イ　本件補正についての当審の判断
　　　　　本件補正発明と刊行物１に記載された発明とを対比すると、刊行物１に記載された液晶パネルＬＣは、本件補正発明の「画素部」に相当し、刊行物１に記載されたデータドライバーＤＤ中のデジタル・アナログ変換に関する部分は、本件補正発明の「ＤＡ変換回路」に相当し、刊行物１に記載された多階調液晶表示装置は、本件補正発明の「表示装置」に相当する。
　刊行物１に記載されたアナログ電圧加算手段Ａ１からＡ４までは、本件補正発明の「基準電圧発生手段」に相当する。
　刊行物１に記載されたメモリＢ１及びＢ２は、本件補正発明の「セレクト信号発生手段」に相当する。
　刊行物１に記載されたデコーダ回路ＤＣ１及びＤＣ２、アナログ電圧選択手段Ｅ１及びＥ２並びにアナログスイッチＳ１及びＳ２は、データメモリからの上位ビット群、メモリＢ１及びＢ２の出力並びに電圧Ｖ１１からＶ１４までが与えられ、前記上位ビット群並びにメモリＢ１及びＢ２の出力に基づいて前記電圧Ｖ１１からＶ１４までのいずれかの電圧を時分割にて選択し、その電圧のアナログ信号をデータ線Ｘ１、Ｘ２の各々に出力する点で、本件補正発明の「選択手段」に相当する。
　そうすると、本件補正発明と刊行物１に記載された発明とは、以下の一致点１で一致し、以下の相違点で相違する。
　一致点１　本件補正発明と刊行物１に記載された発明とが「画素が行列状に多数配置されてなる画素部と、デジタルデータをアナログ信号に変換し、このアナログ信号を前記画素部のデータ線に出力するＤＡ変換回路とを具備する表示装置であって、前記ＤＡ変換回路は、複数階調分の電圧値を時系列で持つ基準電圧を発生する基準電圧発生手段と、デジタルデータのビット情報に基づいて前記基準電圧のいずれの電圧値を選択するかを決めるためのセレクト信号を発生するセレクト信号発生手段と」、「前記デジタルデータおよび前記セレクト信号と前記基準電圧とが与えられ、前記デジタルデータおよび前記セレクト信号に基づいて前記基準電圧のいずれかの電圧値を時分割にて選択し、その電圧値のアナログ信号を前記データ線の各々に出力する選択手段と」を有する「表示装置」である点。
　相違点　本件補正発明では選択手段が「マトリクス状に構成され」ているのに対し、刊行物１にはこのような記載がされていない点。
　この相違点について検討すると、電圧を選択するものにおいて、これを行列状に形成することは、例えば特開２０００−３６７４９号公報（特に図４）にも記載され、周知であり、刊行物１に記載された電圧選択のためのデコーダ回路ＤＣ１及びＤＣ２、アナログ電圧選択手段Ｅ１及びＥ２並びにアナログスイッチＳ１及びＳ２を行列状に構成することは当業者が適宜に行い得ることである。
　本件補正発明の効果についてみても、刊行物１に記載された発明及び周知の技術手段から予測し得る範囲内のものであって格別のものではない。
　したがって、本件補正発明は、当業者が刊行物１に記載された発明及び周知の技術手段に基いて容易に発明をすることができたものであるから、特許法２９条２項の規定により特許出願の際独立して特許を受けることができない。
　　　ウ　本件補正についてのまとめ
　　　　　以上のとおりであるから、本件補正は、特許法１７条の２第５項において準用する同法１２６条５項の規定に違反するものであり、同法１５９条１項において準用する同法５３条の規定により却下しなければならないものである。
　
第３　本件出願に係る発明
　　　本件補正は上記のとおり却下したので、本件出願の請求項３に係る発明（以下「本願発明」という。）は、本件補正前の、平成１６年６月１８日付け手続補正書により補正された明細書及び図面の記載からみて、上記の本件補正前の特許請求の範囲の請求項３に記載されたとおりのものである。
　
第４　引用刊行物に記載された発明
　　　原査定の拒絶の理由に引用された刊行物の一部及びその記載事項は、上記のとおりである。
　
第５　本願発明についての当審の判断
　　　本願発明と刊行物１に記載された発明とを対比すると、本願発明は、刊行物１に記載された発明と次の一致点２で一致する。
　一致点２　本願発明と刊行物１に記載された発明とが「画素が行列状に多数配置されてなる画素部と、デジタルデータをアナログ信号に変換し、このアナログ信号によって前記画素部の各画素を駆動するＤＡ変換回路とを具備する表示装置であって、前記ＤＡ変換回路は、複数階調分の電圧値を時系列で持つ基準電圧を発生する基準電圧発生手段と、デジタルデータのビット情報に基づいて前記基準電圧における複数階調分の電圧値のいずれかを選択するために、前記複数階調の各々に対応した時間情報を持つ階調セレクト信号を発生するセレクト信号発生手段と、前記セレクト信号発生手段から出力される前記階調セレクト信号に基づいて前記基準電圧における複数階調分の電圧値のいずれかを時分割にて選択してその電圧値のアナログ信号を前記画素部のデータ線の各々に出力する階調選択手段とを有する」「表示装置」である点。
　そして、本願発明と刊行物１に記載された発明とに相違点は見出せない。
　したがって、本願発明は、刊行物１に記載された発明である。
　
第６　まとめ
　　　以上のとおりであるから、本件出願の請求項３に係る発明である本願発明は特許法２９条１項３号に規定する発明に該当し特許をすることができないものであり、その余の請求項に係る発明についての判断を示すまでもなく、本件出願は、拒絶をすべきものである。
　なお、原査定は、本願発明が特許法２９条２項の規定により特許をすることができないものであるとしており、当審の理由とは適用する条項を異にするものであるが、根拠となる引用刊行物は同一であり、また、特許法２９条２項の検討に際しては、まず同条１項について検討し、その後更に同条２項について検討するのであるから、請求人には既に同条１項について検討をする十分な機会が与えられており、意見書を提出する機会を改めて与える必要は認められない。
　よって、結論のとおり審決する。